(57)【要約】      （修正有）【課題】断熱性と透光性に優れたシート状の保温材を提供する。【解決手段】二枚の透光性合成樹脂シートを相互固着してなる保温材において、相互固着のシート間に六角型の空気層を連続して、空気の密封度を高めた保温シートに「ふちどり」を設けたことを特徴とする。六面型の形状は、上下、左右を完全に密着させることができかつ、六面の縦横、上下、各辺のサイズを調整して、空気層の間隙を作らない構成が可能となったため、空気の密封度を最大限に高めることができた。空気の密封度を高めた断熱効果により燃料費の節減ができる、またこのシートに「ふちどり」を設けて農業用ハウスに使用することにより、燃費の節減と作物の成育促進などの相乗効果が期待できる。【選択図】図１
0003165792.tif 000002
【実用新案登録請求の範囲】
【請求項１】
二枚の透光性合成樹脂シートを相互固着してなる保温材において、シートの相互間に六面型の空気層を設けたことを特徴とする、シート状保温材。
【請求項２】
気泡状のシートをハウス等に使用する場合の、粘着又は貼付する部分が気泡部と重ならないようにするため、側面を圧着して、「ふちどり」を設けたことを特徴とする、請求項１記載のシート状保温材。
【考案の詳細な説明】
【技術分野】
【０００１】  この考案は、六面型の内部に空気層を有するシート状の保温材に関する。
【背景技術】
【０００２】  従来より種々の断熱材が開発され、利用されているが本案にて示すように、空気の密封度を最大限に高めた、六面型の気泡保温シートは現在のところ見当たらない。
【考案の開示】
【考案が解決しようとする課題】
【０００３】  断熱材は、家屋やビニールハウス等に多用されており、その種類も多岐にわたっている、窓やベランダあるいはハウス等は透光性を有することが必要であり、以前より透光性ビニールシートや気泡合成樹脂シートなどが多用されている。
気泡シートは円形の空気層を多数設けたシート材で、おもに緩衝材に多用されているが、窓やベランダの結露防止材としても商品化されている、ある程度の透光性と断熱性を有するものの、非空気層部分の断熱作用に難があり、十分な断熱性能は得にくいものであった。
本案は、記述の断熱材に関わる課題を解決するために考案されたもので、断熱、保温、採光性などを有する新規かつ、有用なる物品を提供することを目的としたものである。
【課題を解決するための手段】
【０００４】  課題を解決する手段として本案は、以下の構成とした。
すなわち、二枚の透光性合成樹脂シートの相互間に六面型の空気層を設けて、空気の密封度を最大限に高めたシート状保温材である。
【考案の効果】
【０００５】  本案は下記の効果を有する。
１，六面型の形状は、上下、左右を完全に密着させることができかつ、六面の縦横、上下、各辺のサイズを調整して、空気層の間隙を作らない構成が可能となったため、空気の密封度を最大限に高めることができた。
２，空気の密封度を高めた断熱効果により燃料費の節減ができる、またこのシートに「ふちどり」を設けて農業用ハウスに使用することにより、燃費の節減と作物の成育促進などの相乗効果が期待できる。
３，このシートは透光性の材料にて形成するので採光性が確保され、またシート状に形成されているため、粘着又は貼着性にすぐれ、平面のみならず曲面への対応が可能である。
【考案を実施するための最良の形態】
【０００６】  以下、本案の実施形態について説明する。
図において、符号１は、下シートで柔軟性透光性合成樹脂シートである。
符号２は、上シートで下シートと同一材料である。符号３は、六面型気泡の連
着部である。符号４は、シート側面の圧着部。符号５は、「ふちどり」圧着部。
符号６は、六角型の気泡を連続して形成された、空気［気泡］層。【０００７】  本案を使用するには、本案品の下面「平滑面」を対象物に粘着又は貼着させる。これにより、本品の有する空気層にて断熱、保温効果が得られる。
従来の農業用ハウスはビニールシート一枚張りのため、保温性が低く暖房時の燃料費が高額になっていた。一方窓やベランダの断熱と結露防止を兼ねた、従来の商品には空気層の密封度に難があり、高い保温性は得られなかった、
本案は六面型で形成した空気層を連続して間隙の無い構成としたため、より高い保温性を有するものとなった。  本品は、空気の密封度が９５％以上あり、高い断熱性を有し保温や結露防止など多用途に使用できる。
記述の構成にて、本品不使用時に比べて数倍の保温効果が得られるので、省エネに寄与することができる。
以上のごとく、本案により断熱性と保温性大なるシート材を得ることができる。
【図面の簡単な説明】
【０００８】
【図１】本考案の平面図
【図２】本考案の六面型単体参考図
【図３】本案の要部断面図
【図４】本案の「ふちどり」付きシート図
【図５】本案のシート幅十分の一図
【符号の説明】
【０００９】１    下シート
２    上シート
３    気泡連着部
４    側面圧着部
５    ふちどり圧着部
６    空気「気泡」層
【図１】
0003165792.tif 000003
【図２】
0003165792.tif 000004
【図３】
0003165792.tif 000005
【図４】
0003165792.tif 000006
【図５】
0003165792.tif 000007
【手続補正書】
【提出日】平成21年8月31日(2009.8.31)
【手続補正１】
【補正対象書類名】実用新案登録請求の範囲
【補正対象項目名】請求項２
【補正方法】変更
【補正の内容】
【請求項２】
空気層を有するシート等をハウスに使用する場合の、粘着又は貼付する部分が空気層部分と重ならないようにするため、側面を圧着して「ふちどり」を設けたことを特徴とする、請求項１記載のシート状保温材。
【手続補正２】
【補正対象書類名】明細書
【補正対象項目名】０００２
【補正方法】変更
【補正の内容】
【０００２】  従来より種々の断熱性を有するシートが開発され、利用されているが本案が示すように空気の密封度を最大限に高めた、六面型の空気層を有するシート状保温材は現在のところ見当たらない。
【手続補正３】
【補正対象書類名】明細書
【補正対象項目名】０００６
【補正方法】変更
【補正の内容】
【０００６】  以下、本案の実施形態について説明する。図において、符号１は、下シートで柔軟性透光性合成樹脂シートである。符号２は、上シートで下シートと同一材料である。符号３は、六面型空気層の連着部である。符号４は、シート側面の圧着部。符号５は、「ふちどり」圧着部。符号６は、六面型の空気層で構成している。
【手続補正４】
【補正対象書類名】明細書
【補正対象項目名】０００９
【補正方法】変更
【補正の内容】
【０００９】１    下シート２    上シート３    六面型連着部４    側面圧着部５    ふちどり圧着部６    空気層
【手続補正書】
【提出日】平成21年12月8日(2009.12.8)
【手続補正１】
【補正対象書類名】実用新案登録請求の範囲
【補正対象項目名】全文
【補正方法】変更
【補正の内容】
【実用新案登録請求の範囲】
【請求項１】
二枚の透光性合成樹脂シートを相互固着してなる保温材において、シートの相互間に六面型の空気層を設けたことを特徴とする、シート状保温材。
【請求項２】
請求項１の空気層を有するシート状保温材を、農業用ハウスの支柱又はポールに張る場合、シートの空気層部分が重ならないようにするため、請求項１記載のシートの両側を約４ｃｍ〜５ｃｍ圧着する、ハウスの支柱やポールなどの形態により１ｃｍ程度調整して圧着し、「ふちどり」を設けたことを特徴とする、シート状保温材。
【手続補正書】
【提出日】平成22年3月15日(2010.3.15)
【手続補正１】
【補正対象書類名】実用新案登録請求の範囲
【補正対象項目名】全文
【補正方法】変更
【補正の内容】
【実用新案登録請求の範囲】
【請求項１】
二枚の透光性合成樹脂シートを相互固着してなる保温材において、シートの相互間に六面型の空気層を設けたことを特徴とする、シート状保温材。
【請求項２】
空気層を有するシートの両側を，約４ｃｍｍ圧着し、ふちどりをもうけたことを特徴とする，請求項１記載のシート状保温材。
【手続補正書】
【提出日】平成22年7月2日(2010.7.2)
【手続補正１】
【補正対象書類名】実用新案登録請求の範囲
【補正対象項目名】全文
【補正方法】変更
【補正の内容】
【実用新案登録請求の範囲】
【請求項１】
二枚の透光性合成樹脂シートを相互固着してなる保温材において、シートの相互間に六面型の空気層を設けたことを特徴とする、シート状保温材。
【請求項２】
請求項１記載のシート状保温材において、空気層を有するシートの両側を，約４ｃｍ圧着し、ふちどりをもうけたことを特徴とする。
【手続補正書】
【提出日】平成22年10月1日(2010.10.1)
【手続補正１】
【補正対象書類名】実用新案登録請求の範囲
【補正対象項目名】全文
【補正方法】変更
【補正の内容】
【実用新案登録請求の範囲】
【請求項１】
二枚の透光性合成樹脂シートを相互固着してなる保温材において、シートの相互間に六面型の空気層を設けたことを特徴とする、シート状保温材。
【請求項２】
請求項１記載のシート状保温材において、空気層を有するシートの両側を，約４ｃｍ圧着することによって生成したふちどりをもうけたことを特徴とする請求項１記載のシート状保温材。